(57)【要約】【課題】可動支柱のスライド支持構造が簡略で低コスト化を図れるとともに、組み立てが容易な収納庫を提供することを目的としている。【解決手段】収納庫出入口の一部を開閉自在な扉がヒンジを介して回動自在に支持されるとともに、扉を支持した状態で収納庫出入口の幅方向にスライド自在な可動支柱を収納庫出入口の両側壁間に備える収納庫において、可動支柱が、回転軸が水平方向に配置された支持ローラを有し、この支持ローラが前記収納庫出入口の幅方向に水平に設けられたレール部材の水平受け部に収納庫出入口の幅方向に転動自在に受けられた状態で吊り下げられる吊り下げ金具を介して収納庫出入口の幅方向にスライド自在に支持されていることを特徴としている。【選択図】　　　図２
2004137738.tif 000002
【特許請求の範囲】
【請求項１】
収納庫出入口の一部を開閉自在な扉がヒンジを介して回動自在に支持されるとともに、扉を支持した状態で収納庫出入口の幅方向にスライド自在な可動支柱を収納庫出入口の両側壁間に備える収納庫において、
可動支柱が、回転軸が水平方向に配置された支持ローラを有し、この支持ローラが前記収納庫出入口の幅方向に水平に設けられたレール部材の水平受け部に収納庫出入口の幅方向に転動自在に受けられた状態で吊り下げられる吊り下げ金具を介して収納庫出入口の幅方向にスライド自在に支持されていることを特徴とする収納庫。
【請求項２】
レール部材は、下面に収納庫出入口の幅方向に連続するスリット状の隙間を有し、この隙間の両側に水平受け部が設けられている断面略矩形の箱状をしていて、
吊り金具は、前記隙間からレール部材の内部に少なくともその上端部が入り込む収納庫出入口の幅方向に長い金具本体と、
この金具本体の両端部に軸支され、両側の水平受け部に下方から転動自在に受けられる２組の支持ローラ対と、
各支持ローラ近傍で金具本体に軸支され、支持ローラが水平受け部に受けられた状態で、前記レール部材の天井面に略当接するブレ止めローラと、
金具本体から下方に延出し可動支柱の上端部が固定される固定部とを備えている請求項１に記載の収納庫。
【請求項３】
天板部と、床板部と、背板部と、収納庫出入口の両側の側板部とからなる収納庫本体を備え、
レール部材が前記天板部の収納庫出入り口から背板部側に入り込んだ位置に固定されているとともに、
収納庫本体の上端部の、レール部材より収納庫出入り口側でその上面を天板部に、その両側の側面を側板部にそれぞれ固定されている幕板で目隠しされている請求項１または請求項２に記載の収納庫。
【請求項４】
可動支柱の下端に高さ方向および収納庫本体の奥行き方向の位置調整可能な下部ローラを有し、この下部ローラがレール部材に平行に設けられた下部レールに転動自在に受けられている請求項１〜請求項３のいずれかに記載の収納庫。
【発明の詳細な説明】
【０００１】
【発明の属する技術分野】
本発明は、収納庫に関する。
【０００２】
【従来の技術】
収納庫として、特開平２０００−２７４１４９号公報に開示されているように、収納庫出入口の一部を開閉自在な扉がヒンジを介して回動自在に支持されるとともに、扉を支持した状態で収納庫出入口の幅方向にスライド自在な可動支柱（スライド縦枠材）を収納庫出入口の両側壁間に備えるものが、すでに提案されている。
すなわち、この収納庫の構造によれば、可動支柱をスライドさせることによって、収納庫内の収納品を出し入れする際に、開口部の間口を変更することができ、可動支柱が固定式の場合では、収納庫内に収納できないような大きな物品の出し入れが可能になる。したがって、収納庫の内部の棚の配置などに制約を受けず、自由なレイアウトが可能になると言う利点がある。
【０００３】
ところで、上記公報に開示された収納庫の場合、可動支柱が、下部ブロックに設けられたローラによって下方から受けられ、収納庫出入口の幅方向にスライド自在になっているとともに、上下に平行にラックが設けられていて、このラックに可動支柱の上下に設けられ、可動支柱を貫通するシャフトで連結されたピニオンがかみ合うことによって、垂直状態を維持しつつスライドするようになっている。
しかしながら、上記のような収納庫の場合、可動支柱のスライド支持構造が複雑で製造コスト高になるとともに、上下のラックの位置精度も要求され、組み立て作業が非常に難しいという問題がある。
【０００４】
【発明が解決しようとする課題】
本発明は、上記事情に鑑みて、可動支柱のスライド支持構造が簡略で低コスト化を図れるとともに、組み立てが容易な収納庫を提供することを目的としている。
【０００５】
【課題を解決するための手段】
上記目的を達成するために、本発明の請求項１に記載の収納庫（以下、「請求項１の収納庫」と記す）は、収納庫出入口の一部を開閉自在な扉がヒンジを介して回動自在に支持されるとともに、扉を支持した状態で収納庫出入口の幅方向にスライド自在な可動支柱を収納庫出入口の両側壁間に備える収納庫において、可動支柱が、回転軸が水平方向に配置された支持ローラを有し、この支持ローラが前記収納庫出入口の幅方向に水平に設けられたレール部材の水平受け部に収納庫出入口の幅方向に転動自在に受けられた状態で吊り下げられる吊り下げ金具を介して収納庫出入口の幅方向にスライド自在に支持されていることを特徴としている。
【０００６】
本発明の請求項２に記載の収納庫（以下、「請求項２の収納庫」と記す）は、請求項１の収納庫において、レール部材は、下面に収納庫出入口の幅方向に連続するスリット状の隙間を有し、この隙間の両側に水平受け部が設けられている断面略矩形の箱状をしていて、吊り金具は、前記隙間からレール部材の内部に少なくともその上端部が入り込む収納庫出入口の幅方向に長い金具本体と、この金具本体の両端部に軸支され、両側の水平受け部に下方から転動自在に受けられる２組の支持ローラ対と、各支持ローラ近傍で金具本体に軸支され、支持ローラが水平受け部に受けられた状態で、前記レール部材の天井面に略当接するブレ止めローラと、金具本体から下方に延出し可動支柱の上端部が固定される固定部とを備えていることを特徴としている。
【０００７】
本発明の請求項３に記載の収納庫（以下、「請求項３の収納庫」と記す）は、請求項１または請求項２の収納庫において、天板部と、床板部と、背板部と、収納庫出入口の両側の側板部とからなる収納庫本体を備え、レール部材が前記天板部の収納庫出入り口から背板部側に入り込んだ位置に固定されているとともに、収納庫本体の上端部の、レール部材より収納庫出入り口側でその上面を天板部に、その両側の側面を側板部にそれぞれ固定されている幕板で目隠しされていることを特徴としている。
【０００８】
本発明の請求項４に記載の収納庫（以下、「請求項４の収納庫」と記す）は、請求項１〜請求項３のいずれかの収納庫において、可動支柱の下端に高さおよび収納庫本体の奥行き方向の位置調整可能な下部ローラを有し、この下部ローラがレール部材に平行に設けられた下部レールに転動自在に受けられていることを特徴としている。
【０００９】
【発明の実施の形態】
以下に、本発明を、その実施の形態をあらわす図面を参照しつつ詳しく説明する。
図１〜図７は、本発明にかかる収納庫の１つの実施の形態をあらわしている。
【００１０】
図１〜図３に示すように、この収納庫１は、収納庫本体２と、４枚の扉３とを備えている。
収納庫本体２は、図２〜図４に示すように、１枚の天板２１からなる天板部と、１枚の床板２２からなる床板部と、３枚の背板２３からなる背板部と、天板２１の両側に配置される側板２４からなる側板部とによって、正面側に収納庫出入口１１を有する箱状に形成されている。
【００１１】
天板２１には、その下面の収納庫出入り口から背板部側に入り込んだ位置に、収納庫出入口１１の幅方向に平行にレール部材４が固定されている。
レール部材４は、その下面側に収納庫出入口１１の幅方向に連続する隙間４１が設けられ、この隙間４１の両側に後述する支持ローラ６３の水平受け部４２が設けられた断面略Ｃ字形をしたアルミニウム押出成形品である。
【００１２】
レール部材４の前方には、上部幕板５ａが設けられている。上部幕板５ａは、レール部材４の上下寸法より少し大きく幅で、収納庫出入口１１の幅と同じ長さの板材から形成されていて、その長手方向の端面がそれぞれ側板２４に固定され、短手方向に端面が天板２１の下面に固定されることによって、レール部材４の目隠しとなるとともに、天板２１の下方への撓みを防止している。
また、レール部材４には、図４に示すように、吊り金具６が収納庫出入口１１の幅方向にスライド自在に支持されている。
【００１３】
すなわち、吊り金具６は、図４〜図６に示すように、金具本体６１と、固定部６２とを備えている。
金具本体６１は、幅が隙間４１より少し狭い断面略凵形をしていて、金具本体６１の両端部で、金具本体６１の両側壁の同じ高さ位置に支持ローラ６３が水平方向に設けられた軸を中心に回転自在に支持されている。
【００１４】
また、金具本体６１の両側壁の支持ローラ６３より金具本体６１の長手方向内側の各支持ローラ６３の近傍には、ブレ止めローラ６４がそれぞれ軸支されている。
ブレ止めローラ６４は、支持ローラ６３と同じ径で、その上端と支持ローラ６３の下端との距離が、レール部材４の水平受け部４２と天井面４３との間の寸法と略同じか少し小さくなる位置に、水平に設けられた軸を中心に回転自在になっている。
【００１５】
固定部６２は、断面略コ字形をしていて、コ字の開口部を下側に向けるように金具本体６１の長手方向中央部下面にビスで固定されているとともに、略三角形の補強リブ６５が金具本体６１の下面および固定部６２の両側壁にスポット溶接されることによって補強されている。
また、固定部６２には、可動支柱７の上端部が嵌まり込み、固定部６２の側壁に設けられたビス孔６２ａを介して可動支柱７にビス６２ｂをねじ込むことによって、固定されている。
【００１６】
可動支柱７の下端には、図２、図３および図７に示すように、収納庫出入口１１の幅方向両側に、下部ローラユニット８が固定されている。
下部ローラユニット８は、下部ローラ８１と、この下部ローラ８１を回転自在に支持するユニット本体８２とを備えている。
【００１７】
下部ローラ８１は、床板２２の上面にレール部材４に平行に設けられた下部レール２２ａに受けられ、下部レール２２ａに沿って転動するようになっている。
ユニット本体８２は、下部ローラ８１の高さ調整ネジ８２ａおよび下部ローラ８１の軸方向の動きを固定する固定ネジ８２ｂとを備えている。
【００１８】
また、可動支柱７は、その上端部および下端部にストッパー７１がそれぞれ設けられている。
ストッパー７１は、ロックピン７１ａが可動支柱７の上端あるいは下端から天板２１方向あるいは床板２２方向に出没自在に設けられ、ロックピン７１ａが突出状態のとき、天板２１および床板２２の可動支柱７の固定位置に設けられた係止穴２８に嵌まり込んで、可動支柱７がスライドしないように固定するようになっている。
【００１９】
４枚の扉３は、図２〜図４に示すように、２枚の扉３が、両側の側板２４にヒンジ３１を介してそれぞれ枢支され、残り２枚の扉が可動支柱７の両側にヒンジ３１を介して枢支され、各扉３を閉じた状態で、４枚の扉３が収納庫出入口１１の周囲の天板２１、側板２４および床板２２を覆うとともに、隣接する扉３の端面が略接するようになっている。
床板２２は、図８に示すように、その周縁部が６本のアジャスター２２ｃで下方から支持されている。アジャスター２２ｃは、床板２２の上面に設けられた穴からドライバーを差し入れて回転させることによって、高さ調整できるようになっている。
【００２０】
収納庫本体２の下端には、床板２２と載置面との隙間を前方から目隠しする下部幕板５ｂが設けられている。
下部幕板５ｂは、図示していないが、下部幕板５ｂの裏面に取り付けられたフックを、アジャスター２２ｃに係合させることによって収納庫本体２に固定されるようになっている。
【００２１】
また、収納庫本体２内には、図２および図３に示すように、パイブ式ラック９がセットされている。
【００２２】
つぎに、この収納庫１の組み立て方法を図８および図９を参照しながら説明する。
（１）図８（ａ）に示すように、床板２２を収納庫１の載置面の設置位置に配置し、アジャスター２２ｃを調整して床板２２のレベル調整を行う。
【００２３】
（２）図８（ｂ）に示すように、床板２２の長手方向両端部に側板２４をそれぞれ載せ、側板２４の下端部を床板２２に固定する。
（３）図８（ｃ）に示すように、上部幕板５ａをその上端が側板２４の上端と一致させるとともに長手方向の端面をそれぞれ側板２４に金具（図示せず）で固定する。
【００２４】
（４）図８（ｄ）に示すように、天板２１の周縁部を側板２４および上部幕板５ａによって下方から受けさせるとともに、天板２１の周縁部を側板２４および上部幕板５ａの上端面に接合する。
（５）図９（ａ）に示すように、３枚の背板２３をケンドン式に天板２１および床板２２の背面側端部にそれぞれ設けられた天板溝（図示せず）、床板溝（図示せず）の順位差し込んで、立設状態にしたのち、背板２３と背板２３との隙間を目地材２３ａで背板部を作製し収納庫本体２を完成する。
【００２５】
（６）図９（ｂ）に示すように、レール部材４の長手方向の端部開口から、金具本体６１の吊り金具６の支持ローラ６３およびブレ止めローラ６４を含む部分をレール部材４内に挿入し、吊り金具６をレール部材４の長手方向にスライド自在となるようにセットした状態で、レール部材４を天板２１の下面に固定する。
（７）図９（ｃ）に示すように、可動支柱７の下端部両面に下部ローラユニット８をビスで固定したのち、図９（ｄ）に示すように、吊り金具６の固定部６２に可動支柱７の上端部をねじ固定し、可動支柱７を吊り下げ状態にするとともに、下部ローラユニット８の下部ローラ８１を下部レール２２ａに受けさせる。
【００２６】
（８）可動支柱７がスムーズにスライドしない場合、必要に応じ、下部ローラユニット８の固定ネジ８２ｂを緩め、下部ローラ８１の軸方向の位置を調整したり、高さ調整ネジ８２ａを回して下部ローラ８１の回転軸の高さを調整する。
（９）ヒンジを介して４枚の扉３を側板２４あるいは可動支柱７に取り付ける。
（１０）必要に応じて、収納庫本体２内にパイプ式ラック９を組み立てる。
【００２７】
この収納庫１は、以上のように、可動支柱７が、レール部材４の水平受け部４２に受けられて転動する支持ローラ６３に支持されることによってスライド自在となっているので、組み立てが容易である。しかも、構造が簡単で、製造コストを低減できる。勿論、可動支柱７が扉３とともに、収納庫出入口１１の幅方向にスライドするようになっているので、収納庫本体２内への収納物品の出し入れの際に可動支柱７が邪魔になれば、ロックピン７１ａを外し、図３に示すように、可動支柱７をいずれかの側板２４側にスライドさせれば、迅速に収納物品の出し入れを行うことができる。したがって、収納庫１内の棚等の配置に関係なく内部に収納物品を出し入れでき、棚等の配置パターンの自由度が増える。
【００２８】
また、ブレ止めローラ６４が設けられているので、吊り金具６がレール部材４に沿ってよりスムーズにスライドする。
上部幕板５ａが設けられているので、レール部材４の重みで天板２１およびレール部材４の中央部が撓んだりすることがなく、しかも、レール部材４を収納庫出入口１１側から見えないように隠蔽できるので、見栄えがよくなる。
【００２９】
下部ローラ８１を備え、この下部ローラがその回転軸方向に位置調整可能であるとともに、回転軸の高さ調整可能であるので、可動支柱７を常にがたつきなくスムーズにスライドさせることができるようになる。
【００３０】
なお、本発明にかかる収納庫は、上記の実施の形態に限定されない。たとえば、上記の実施の形態では、可動支柱が１本であったが、２本以上でも構わない。また、扉が４枚であったが、扉の枚数は、２枚や３枚でも構わないし、５枚以上でも構わない。
【００３１】
【発明の効果】
本発明にかかる収納庫は、以上のように構成されているので、収納庫内部の棚等の配置パターンも自由に選択できるとともに、構造が簡単で、製造コストを低減でき、しかも、組み立ても容易である。
また、請求項２の収納庫のようにすれば、吊り金具がレール部材に沿ってよりスムーズにスライドする。すなわち、可動支柱がスムーズにスライドする。
【００３２】
請求項３の収納庫のようにすれば、レール部材の重みで天板およびレール部材の中央部が撓んだりすることがなく、しかも、レール部材を収納庫出入口１１側から見えないように隠蔽できるので、見栄えがよくなる。
請求項４の収納庫のようにすれば、下部ローラがその回転軸方向に位置調整可能であるとともに、回転軸の高さ調整可能であるので、可動支柱を常にがたつきなくスムーズにスライドさせることができるようになる。
【図面の簡単な説明】
【図１】本発明にかかる収納庫の１つの実施の形態であって、その扉を閉じた状態の斜視図である。
【図２】図１の収納庫の扉を開いた状態の斜視図である。
【図３】図１の収納庫の扉を開いてスライド支柱をスライドさせた状態の斜視図である。
【図４】図１の収納庫の要部拡大斜視図である。
【図５】図１の収納庫の吊り金具の斜視図である。
【図６】図５の吊り金具の正面図である。
【図７】図１の収納庫の床板部分の断面図である。
【図８】図１の収納庫の組み立て方法を工程順に説明する説明図である。
【図９】図８の組み立て工程の後工程を工程順に説明する説明図である。
【符号の説明】
１　収納庫
１１　収納庫出入口
２　収納庫本体
２１　天板（天板部）
２２　床板（床板部）
２３　背板（背板部）
２４　側板（側板部）
２２ａ　下部レール
３　扉
３１　ヒンジ
４　レール部材
４２　水平受け部
４３　天井面
５ａ　上部幕板
６　吊り金具
６３　支持ローラ
６４　ブレ止めローラ
７　可動支柱
８　下部ローラユニット
８１　下部ローラ
【図１】
2004137738.tif 000003
【図２】
2004137738.tif 000004
【図３】
2004137738.tif 000005
【図４】
2004137738.tif 000006
【図５】
2004137738.tif 000007
【図６】
2004137738.tif 000008
【図７】
2004137738.tif 000009
【図８】
2004137738.tif 000010
【図９】
2004137738.tif 000011